(57)【要約】【課題】回動するワイパーを用いずに、固定された放出口から放出された遊戯媒体の左右方向の位置を変更して盤面に投入する。【解決手段】本発明は、遊戯媒体と衝突するピンが配置された盤面と、前記盤面に対して固定され、前記遊戯媒体を放出する放出口と、下側ほど左右方向の互いの間隔が狭く配置され前記左右方向に移動可能な第１ガイド及び第２ガイドを有し、前記放出口から放出された前記遊戯媒体を前記第１ガイドと第２ガイドとの間から前記盤面に投入することを特徴とする遊戯装置である。【選択図】図２
2014147406.tif 000002
【特許請求の範囲】
【請求項１】
遊戯媒体と衝突するピンが配置された盤面と、
前記盤面に対して固定され、前記遊戯媒体を放出する放出口と、
下側ほど左右方向の互いの間隔が狭く配置され前記左右方向に移動可能な第１ガイド及び第２ガイドを有し、
前記放出口から放出された前記遊戯媒体を前記第１ガイドと第２ガイドとの間から前記盤面に投入することを特徴とする遊戯装置。
【請求項２】
請求項１に記載の遊戯装置であって、
前記第１ガイド及び前記第２ガイドが最も右側に位置するとき、前記盤面の最上列の最も右側の前記ピンの上側に、前記第１ガイド及び前記第２ガイドのうちの右側のガイドの下端が位置し、
前記第１ガイド及び前記第２ガイドが最も左側に位置するとき、前記盤面の最上列の最も左側の前記ピンの上側に、前記第１ガイド及び前記第２ガイドのうちの左側のガイドの下端が位置する
ことを特徴とする遊戯装置。
【請求項３】
請求項１又は２に記載の遊戯装置であって、
前記第１ガイド及び前記第２ガイドの一方のガイドのガイド面から前記遊戯媒体の直径だけ離れ当該ガイド面に平行な面が、他方のガイドと交差している
ことを特徴とする遊戯装置。
【請求項４】
請求項１〜３のいずれかに記載の遊戯装置であって、
前記盤面には、前記左右方向に並ぶ前記ピンの列が上下方向に複数列配置されており、
前記左右方向の位置に関し、上側の列のピンとピンの間に、下側の列のピンが配置されており、
各列を構成する複数のピンは、中央に位置するピンほど上側に配置されている
ことを特徴とする遊戯装置。
【発明の詳細な説明】
【技術分野】
【０００１】
本発明は、遊戯装置に関する。
【背景技術】
【０００２】
特許文献１には、盤面にボールを落下させる落下調節装置を左右に移動させる遊戯装置が開示されている。
【０００３】
特許文献２には、放出口から放出されたボールの落下方向をワイパーで変更する遊戯装置が開示されている。
【先行技術文献】
【特許文献】
【０００４】
【特許文献１】特開２００３−６２１９５号公報
【特許文献２】特許第３９３６７２２号公報
【発明の概要】
【発明が解決しようとする課題】
【０００５】
遊戯媒体を盤面に放出する放出装置（例えば特許文献１の落下調節装置）には駆動機構も組み込まれるため、放出装置ごと左右に移動させると、装置が複雑になり、故障しやすくなる。このため、特許文献２のように放出口を盤面に対して固定することが望ましい。但し、固定された放出口から遊戯媒体をそのまま盤面に投入しただけでは、技巧性・娯楽性が低くなってしまう。このため、放出口を盤面に対して固定した場合には、遊戯媒体の左右方向の位置を変更してから盤面に投入すると良い。
【０００６】
しかし、遊戯媒体の左右方向の位置を変更する手段として特許文献２のように回動するワイパーを採用した場合、ワイパーの移動範囲にピンを配置できないため、盤面の最上列に配置できるピンが低い位置になってしまう。この結果、盤面に放出された遊戯媒体が勢いよくピンに衝突し、ピンが故障しやすくなってしまう。一方、放出口と最上列のピンとの間隔を狭めるためにワイパーを短くしてしまうと、遊戯媒体を盤面に投入できる範囲が狭まってしまう。
【０００７】
本発明は、回動するワイパーを用いずに、固定された放出口から放出された遊戯媒体の左右方向の位置を変更して盤面に投入することを目的とする。
【課題を解決するための手段】
【０００８】
上記目的を達成するための主たる発明は、遊戯媒体と衝突するピンが配置された盤面と、前記盤面に対して固定され、前記遊戯媒体を放出する放出口と、下側ほど左右方向の互いの間隔が狭く配置され前記左右方向に移動可能な第１ガイド及び第２ガイドを有し、前記放出口から放出された前記遊戯媒体を前記第１ガイドと第２ガイドとの間から前記盤面に投入することを特徴とする遊戯装置である。
本発明の他の特徴については、本明細書及び図面の記載により明らかにする。
【図面の簡単な説明】
【０００９】
【図１】図１は、遊戯装置１の斜視図である。
【図２】図２は、遊戯装置１の正面図である。
【図３】図３は、遊戯装置１の構成のブロック図である。
【図４】図４Ａは、上開口部の左右方向の長さの説明図である。図４Ｂは、下開口部の左右方向の長さの説明図である。
【図５】図５Ａ〜図５Ｃは、比較例の説明図である。
【図６】図６Ａ及び図６Ｂは、盤面１０のチャッカー１２近傍の斜視図である。図６Ａは第１状態を示し、図６Ｂは第２状態を示している。
【図７】図７は、ボール供給機構５０の配置の説明図である。
【図８】図８Ａ及び図８Ｂは、ボール供給機構５０の説明図である。図８Ａは第１状態の説明図であり、図８Ｂは第２状態の説明図である。
【図９】図９は、盤面１０上のピンＰの配置を示す正面図である。
【図１０】図１０Ａは、本実施形態のピンＰの配置と間隔の概要説明図である。図１０Ｂは、比較例の説明図である。
【発明を実施するための形態】
【００１０】
本明細書及び図面の記載により、少なくとも以下の事項が明らかとなる。
遊戯媒体と衝突するピンが配置された盤面と、前記盤面に対して固定され、前記遊戯媒体を放出する放出口と、下側ほど左右方向の互いの間隔が狭く配置され前記左右方向に移動可能な第１ガイド及び第２ガイドを有し、前記放出口から放出された前記遊戯媒体を前記第１ガイドと第２ガイドとの間から前記盤面に投入することを特徴とする遊戯装置が明らかとなる。
このような遊戯装置によれば、回動するワイパーを用いずに、固定された放出口から放出された遊戯媒体の左右方向の位置を変更して盤面に投入することができる。
【００１１】
前記第１ガイド及び前記第２ガイドが最も右側に位置するとき、前記盤面の最上列の最も右側の前記ピンの上側に、前記第１ガイド及び前記第２ガイドのうちの右側のガイドの下端が位置し、前記第１ガイド及び前記第２ガイドが最も左側に位置するとき、前記盤面の最上列の最も左側の前記ピンの上側に、前記第１ガイド及び前記第２ガイドのうちの左側のガイドの下端が位置することが望ましい。これにより、最上列のピンよりも外側にボールが移動することを抑制できる。
【００１２】
前記第１ガイド及び前記第２ガイドの一方のガイドのガイド面から前記遊戯媒体の直径だけ離れ当該ガイド面に平行な平面が、他方のガイドと交差していることが望ましい。若しくは、前記第１ガイドのガイド面の下端と前記第２ガイドのガイド面の下端との間隔をＬとし、前記第１ガイド又は前記第２ガイドのガイド面の前記左右方向に対する角度をθとしたとき、Ｌとｓｉｎθとの積は遊戯媒体の直径よりも小さいことが望ましい。これにより、ボールを下に向かって投入することができる。
【００１３】
前記盤面には、前記左右方向に並ぶ前記ピンの列が上下方向に複数列配置されており、前記左右方向の位置に関し、上側の列のピンとピンの間に、下側の列のピンが配置されており、各列を構成する複数のピンは、中央に位置するピンほど上側に配置されていることが望ましい。これにより、遊戯装置全体が傾斜するといった設置状況の影響を受けにくい遊戯装置を実現できる。
【００１４】
＝＝＝実施形態＝＝＝
図１は、遊戯装置１の斜視図である。図２は、遊戯装置１の正面図である。図３は、遊戯装置１の構成のブロック図である。
【００１５】
以下の説明では、図１及び図２に示すように各方向を定義する。すなわち、重力方向を「上下方向」とし、重力に従って「上」と「下」を定義する。また、遊戯装置１の盤面１０から見て、遊戯者側を「前」とし、逆側を「後」とする。また、上下方向及び前後方向に垂直な方向を「左右方向」とし、遊戯者側から見たときを基準にして、「右」と「左」を定義する。
【００１６】
遊戯装置１は、例えばコリントゲーム装置であり、遊戯媒体であるボールが盤面１０に投入され、盤面１０に設けられたピンＰにボールが衝突しながら移動（落下）し、ボールの入ったチャッカー１２に応じた得点が遊戯者に付与される装置である。
【００１７】
遊戯装置１は、盤面１０を備えた遊戯盤と、放出装置２０と、投入部３０とを有する。また、遊戯装置１は、遊戯者が操作するための操作パネル４０、ボール供給機構５０及び制御部６０を備えている（図３参照）。なお、制御部６０は、ＣＰＵ等の演算部６１や、メモリ等の記憶部６２を有し、遊戯装置１の全体の制御を司る。制御部６０は、記憶部６２に記憶されているプログラムを演算部６１が読み出して実行することによって、遊戯装置１の各構成要素（モーター等）を制御し、各種機能を実現する。また、制御部６０は、記憶部６２に記憶されている入賞プログラムを演算部６１が読み出して実行することによって、ボールの入ったチャッカー１２に応じた得点を遊戯者に付与する機能を実現する。
【００１８】
遊戯盤は、遊戯者にプレイフィールドを提供する部位（盤）である。遊戯盤は、盤面１０と、ディスプレイ１４と、透明カバー１６とを有する。盤面１０には、ボールが衝突するピンＰと、チャッカー１２が設けられている。チャッカー１２は、盤面１０に設けられた隔壁１３によって区切られた入賞口である。
【００１９】
盤面１０には、左右方向に並ぶピンＰの列が上下方向に複数列配置されている。各列のピンＰは、ボールが通過可能な間隔で、左右方向にほぼ等間隔に並んでいる。また、ピンＰの列の上下方向の間隔は、ピンＰの間をボールが通過可能な間隔になっている。盤面１０上の最も外側のピンＰ同士はボールの直径よりも狭い間隔で配置されており、ボールの移動する範囲を制限している。ピンＰの詳しい配置については、後述する。
【００２０】
盤面１０は透明な板（アクリル板）で構成されており、盤面１０の後側にディスプレイ１４が配置されている。盤面１０の各チャッカー１２には、ボールを検出するためのボール検出センサ１５が配置されている。ボール検出センサ１５は検出結果を制御部６０に出力し、制御部６０は、ボール検出センサ１５の検出結果に基づいて、ディスプレイ１４上に遊戯者の得点を示す画像を表示する。ボールが盤面１０から飛び出すことを防止するため、盤面１０よりも前側（遊戯者側）に、盤面１０に対向して透明カバー１６が配置されている。
【００２１】
放出装置２０は、盤面１０に投入するボールを放出する装置であり、盤面１０よりも上側に配置されている。放出装置２０は、放出口２１と放出用モーター２２とを備える。放出口２１は、ボールを放出する部位であり、盤面１０に対して固定されている。放出用モーター２２は、放出口２１にセットされたボールを放出口２１から放出（排出）させるためのモーターである。放出口２１が盤面１０に対して固定されているため、放出用モーター２２も盤面１０に対して固定して配置できるので、放出用モーター２２を左右方向に移動させる場合と比べると、放出装置２０の構成は単純になり、耐久性に優れ、安価になる。遊戯者が操作パネル４０の放出ボタン４１を押すと、放出ボタン４１が押されたタイミングに従って、制御部６０が放出用モーター２２を駆動して、放出口２１からボールを放出させることになる。なお、放出口２１へボールを供給するボール供給機構５０については、後述する。
【００２２】
投入部３０は、放出口２１から放出されたボールを盤面１０に投入する部材である。投入部３０は、放出口２１の下側に配置されており、左右方向に移動可能である。投入部３０が左右方向に移動可能であるため、放出口２１が盤面１０に対して固定されていても、盤面１０に投入するボールの左右方向の位置を変更することが可能になる。したがって、固定された放出口２１からボールをそのまま盤面１０に投入した場合と比べると、技巧性・娯楽性が向上する。
【００２３】
投入部３０は、第１ガイド３１及び第２ガイド３２を備えている。この第１ガイド３１及び第２ガイド３２も左右方向に移動することになる。投入部３０はガイド用モーター３３を備えており（図３参照）、制御部６０がガイド用モーター３３を駆動することによって第１ガイド３１及び第２ガイド３２を継続的に往復移動させている。放出口２１から放出されたボールは、第１ガイド３１と第２ガイド３２の間に入り、第１ガイド３１と第２ガイド３２の間から盤面１０に投入されることになる。これにより、ボールの投入タイミングを計ることで、遊戯者は、所望のチャッカー１２にボールを入り易くすることができる。
【００２４】
図２では、第１ガイド３１及び第２ガイド３２が最右位置にある状態を実線で示すとともに、第１ガイド３１及び第２ガイド３２が最左位置にある状態を点線で示している。第１ガイド３１及び第２ガイド３２が最右位置にあるとき（図中の実線参照）、最上列の最も右のピンＰ１の上側に第１ガイド３１の下端が位置している。これにより、盤面１０に投入されたボールが、最上列の最も右のピンＰ１よりも更に右側に移動することが抑制される。第１ガイド３１及び第２ガイド３２が最左位置にあるとき（図中の点線参照）、最上列の最も左のピンＰ２の上側に第２ガイド３２の下端が位置している。これにより、盤面１０に投入されたボールが、最上列の最も左のピンＰ２よりも更に左側に移動することが抑制される。
【００２５】
第１ガイド３１及び第２ガイド３２は、下側ほど互いの左右方向の間隔が狭く配置されている。右側の第１ガイド３１は、左下がりの傾斜面である第１ガイド面３１Ａを有する。左側の第２ガイド３２は、右下がりの傾斜面である第２ガイド面３２Ａを有する。第１ガイド３１と第２ガイド３２の上端によって上開口部が構成されており、放出口２１から放出されたボールは、上開口部から第１ガイド３１及び第２ガイド３２の間に入ることになる。また、第１ガイド３１と第２ガイド３２の下端によって下開口部が構成されており、上開口部から第１ガイド３１及び第２ガイド３２の間に入ったボールは、第１ガイド面３１Ａ及び第２ガイド面３２Ａに沿って転がった後、下開口部から盤面１０に投入されることになる。つまり、上開口部は、投入部３０へボールを受け入れる受け入れ口として機能し、下開口部は、投入部３０から盤面１０にボールを投入する投下口として機能する。
【００２６】
図４Ａは、上開口部の左右方向の長さの説明図である。
上開口部の左右方向の長さＬ１（第１ガイド面３１Ａと第２ガイド面３２Ａの上端における間隔）は、投入部３０の左右方向の移動長さＬｔよりも広い。つまり、Ｌ１＞Ｌｔである。更には、左右方向の移動長さＬｔとボールの直径Ｄ（若しくは放出口２１の左右方向の寸法）とを加算した長さよりも広い。つまり、Ｌ１＞Ｌｔ＋Ｄである。これにより、投入部３０が最も左側に位置した状態では第１ガイド３１が放出口２１の下側に位置し、投入部３０が最も右側に位置した状態では第２ガイド３２が放出口２１の下側に位置する。つまり、投入部３０が左右方向のどの位置にある状態でも、放出口２１の下側に上開口部が位置し、放出口２１から放出されたボールは第１ガイド３１と第２ガイド３２の間に入ることになる。
【００２７】
図４Ｂは、下開口部の左右方向の長さの説明図である。
下開口部の左右方向の長さＬ２（第１ガイド面３１Ａと第２ガイド面３２Ａの下端における間隔）は、第１ガイド３１と第２ガイド３２の間からボールを盤面１０に投入できるようにするため、ボールの直径Ｄよりも広い。つまり、Ｌ２＞Ｄである。
【００２８】
加えて、図４Ｂに示すように、第１ガイド面３１Ａからボールの直径Ｄだけ離れ第１ガイド面３１Ａに平行な平面（図中の点線参照）が第２ガイド３２と交差するように、下開口部の左右方向の長さＬ２が設定される。逆に、図示していないが、第２ガイド面３２Ａからボールの直径Ｄだけ離れ第２ガイド面３２Ａに平行な平面が第１ガイド３１と交差するように、下開口部の左右方向の長さＬ２が設定される。つまり、左右方向に対する第１ガイド面３１Ａ（又は第２ガイド面３２Ａ）の角度をθとすると、Ｌ２×ｓｉｎθ＜Ｄである。これにより、ボールが第１ガイド面３１Ａを勢いよく転がったとしても、ボールが第２ガイド３２に当たるため、第１ガイド面３１Ａに沿って斜めに下開口部から飛び出さずに、下開口部から下に向かって落ちることになる。これにより、遊戯者の意図に沿ってボールを盤面１０に投入することができる。この利点については、後述する比較例（図５Ｃ参照）との比較によって明らかになる。
【００２９】
＜比較例＞
本実施形態では、第１ガイド３１及び第２ガイド３２を備えた投入部３０が左右方向に移動することによって、放出口２１から放出されたボールの左右方向の位置を変更している。これにより、ワイパーのように回動する部材を用いた場合と比べて、盤面１０上の最上列のピンＰを比較的上側に配置できるようになる。この点について説明する。
【００３０】
図５Ａ〜図５Ｃは、比較例の説明図である。比較例では、第１ガイド３１及び第２ガイド３２を左右方向に移動させるのではなく、上部の回転軸を中心に回動させている。比較例では、第１ガイド３１及び第２ガイド３２をワイパーのように回動させることによって、放出口２１から放出されたボールの左右方向の位置を変更している。
【００３１】
第１ガイド３１及び第２ガイド３２が移動する場合、その移動範囲内にはピンを配置することができない。このため、盤面１０の最上列のピンは、第１ガイド３１及び第２ガイド３２の下端の最下位置よりも下側に配置されることになる。更に、移動する第１ガイド３１及び第２ガイド３２とピンとの間にボールが挟まらないようにするためには、最上列のピンは、第１ガイド３１及び第２ガイド３２からボール１個分以上の間隔を空けて下側に配置する必要がある。
【００３２】
図５Ａに示すように、第１ガイド３１及び第２ガイド３２が回動する場合、第１ガイド３１及び第２ガイド３２の下端が円弧状に移動するため、第１ガイド３１及び第２ガイド３２の下端の最下位置が低くなる。このため、盤面１０の最上列のピンは、比較的低い位置に配置されることになる。これに対し、本実施形態の第１ガイド３１及び第２ガイド３２は左右方向に移動するだけなので、第１ガイド３１及び第２ガイド３２の下端の最下位置は変化しない。このため、盤面１０の最上列のピンを比較的上側に配置できる。
【００３３】
また、比較例のように盤面１０の最上列のピンが低い位置に配置されると、放出口２１と最上列のピンとの間隔が長くなる。この結果、図５Ｂに示すように、放出口２１から放出されたボールが勢いよくピンに衝突することがあり、ピンが故障しやすくなってしまう。これに対し、本実施形態では、盤面１０の最上列のピンを比較的上側に配置できるので、放出口２１と最上列のピンとの間隔が比較的短くなるため、ピンの故障を抑制できる。
【００３４】
また、図５Ｃに示すように、第１ガイド３１及び第２ガイド３２が回動する場合には、ボールがガイド面に沿って斜めに飛び出すことになる。この結果、ボールは、最初のピンに弾き返されて、逆側に移動してしまう。つまり、遊戯者がボールを盤面１０の左側に投入することを意図していたのに、遊戯者の意図とは反対側である右側にボールが移動することになる。このようなボールの動きは、遊戯者にとって興ざめとなる。これに対し、本実施形態では、図４Ｂに示すように、第１ガイド３１と第２ガイド３２の間からボールが下に向かって落ちることになるので、遊戯者の意図に反するボールの動きを軽減できる。
【００３５】
＜ストッパーピン１７の移動動作とボールの供給動作＞
図６Ａ及び図６Ｂは、盤面１０のチャッカー１２近傍の斜視図である。
図６Ａに示すように、各チャッカー１２の下側には、ストッパーピン１７がそれぞれ設けられている。ストッパーピン１７は、チャッカー１２を構成する隔壁１３と隔壁１３の間に配置されたピン状の部材であり、チャッカー１２に入ったボールをチャッカー１２内に保持する部材である。ストッパーピン１７によってチャッカー１２内に一時的にボールが保持されることによって、どのチャッカー１２にボールが入ったかを遊戯者が認識しやすくなる。
【００３６】
ストッパーピン１７は、チャッカー１２に対して左右方向に移動可能に構成されている。ストッパーピン１７は、通常状態では図６Ａに示す位置にあり、定期的に左右方向に往復移動することによって、定期的に図６Ｂに示す状態になる。以下の説明では、図６Ａに示す状態を第１状態（通常状態）と呼び、図６Ｂに示す状態を第２状態と呼ぶことがある。
【００３７】
ボールがストッパーピン１７によってチャッカー１２内に保持された状態でストッパーピン１７が左側に移動すると、図６Ｂに示す第２状態になり、ボールがチャッカー１２から回収皿１８に落下する。その後、ストッパーピン１７は右側に移動し、図６Ａに示す第１状態に戻る。
【００３８】
ストッパーピン１７は、チャッカー１２内のボールを落下させるため、少なくともボール半個分程度（ボールの半径に相当）だけ左側に移動すれば良い。但し、本実施形態では、ストッパーピン１７は、ボール１個分（ボールの直径に相当）だけ左側に移動する。これは、後述するように、ストッパーピン１７がボール供給機構５０の押出部５１と一体的に移動するためである。なお、ストッパーピン１７は、ボール供給機構５０の供給用モーター５４によって左右方向に移動する。
【００３９】
回収皿１８には傾斜面が形成されており（図６Ａ及び図６Ｂ参照）、回収皿１８に落下したボールは、ボールの自重により傾斜面に沿って移動し、回収口１８Ａに到達する。回収口１８Ａから回収されたボールは、ボール供給機構５０によって放出口２１に供給されることになる。
【００４０】
図７は、ボール供給機構５０の配置の説明図である。ボール供給機構５０は、回収口１８Ａから回収されたボールを放出口２１に供給する機構である。図示する通り、ボール供給機構５０は、盤面１０の裏側（後側）に配置されている。
【００４１】
図８Ａ及び図８Ｂは、ボール供給機構５０の説明図である。図８Ａは第１状態の説明図であり、図８Ｂは第２状態の説明図である。ボール供給機構５０は、押出部５１と、ボールストッパー５２と、ボール供給路５３と、供給用モーター５４とを有する。
【００４２】
押出部５１は、ボールを押し出す部位であり、左右方向に移動可能に構成されている。押出部５１はボール１個分程度だけ左右方向に往復移動し、第１状態では、押出部５１は右側に位置しており、第２状態では、押出部５１は左側に位置している。
【００４３】
ボールストッパー５２は、ボールの移動を規制する部材である。ボールストッパー５２は、ボールが右側から左側に移動することは許容し、左側から右側に移動することを禁止する。すなわち、ボールストッパー５２は、押出部５１によって押されたボールが左側のボール供給路５３に押し込まれることを許容し、ボール供給路５３から右側へボールが戻ることを禁止する。
【００４４】
ボール供給路５３は、ボールを放出口２１まで供給するための通路である。ボール供給路５３には、予めボールが充填されている。ボール供給路５３に充填されているボールは、ボールストッパー５２によって堰き止められている。
【００４５】
供給用モーター５４は、押出部５１を左右方向に移動させるための駆動源である。本実施形態では、ストッパーピン１７と押出部５１とが一体的に構成されているため、制御部６０が供給用モーター５４を駆動すると、ストッパーピン１７及び押出部５１が一体的に往復移動する。これにより、ストッパーピン１７の往復移動と、押出部５１の往復移動とを、共通のモーター（供給用モーター５４）によって実現できる。したがって、それぞれを別々のモーターによって移動させるよりも、モーターの数を減らすことができる。
【００４６】
第１状態のとき、押出部５１とボールストッパー５２との間隔はボール１個分程度であり、回収口１８Ａから回収されたボールが押出部５１とボールストッパー５２との間に入り込む（図８Ａ参照）。このボールは、第１状態から第２状態になるときに、押出部５１によって左側に押されて、ボールストッパー５２を越えてボール供給路５３に押し込まれる（図８Ｂ参照）。ボール供給路５３には予めボールが充填されているため、１個のボールがボールストッパー５２側から押し込まれると、ボール供給路５３の反対側の１個のボールが放出口２１に供給されてセットされる。すなわち、ボール供給路５３のボールが「ところてん式」に放出口２１に供給される。
【００４７】
なお、第１状態から第２状態になるとき、チャッカー１２内のボールが回収皿１８に落下し、回収口１８Ａに移動する。但し、第２状態のとき、押出部５１の側面（前側の面）が回収口１８Ａを塞いでいる。このため、図８Ｂに示す段階では、回収皿１８に回収されたボールは、ボール供給機構５０に入らない（この段階ではボールが押出部５１とボールストッパー５２との間に入り込めない）。第２状態から第１状態に戻ると、押出部５１が右側に移動して回収口１８Ａを開放し、回収されたボールが押出部５１とボールストッパー５２との間にボールが入り込む。そして、図８Ａに示す状態に戻る。以下、このような第１状態と第２状態とが定期的に繰り返されることになる。
【００４８】
＜ピンＰの配置＞
図９は、盤面１０上のピンＰの配置を示す正面図である。
【００４９】
既に説明した通り、盤面１０には、左右方向に並ぶピンＰの列が上下方向に複数列配置されている。左右方向に並ぶピンＰの列は、５〜９本のピンＰで構成されている。各列のピンＰは、ボールが通過可能な間隔で、左右方向にほぼ等間隔に並んでいる。ピンＰの列は、上下方向に７列配置されている。ピンＰの列の上下方向の間隔は、ピンＰの間をボールが通過可能な間隔になっている。また、左右方向に位置に関し、上側の列のピンＰとピンＰの間に、下側の列のピンＰが配置されている。
【００５０】
図中の点線は、各列の端のピンＰ（最も右のピンＰと、最も左のピンＰ）の下縁の位置を示している。各列の中央側のピンＰ（最も右のピンＰと最も左のピンＰの間のピンＰ）は、端のピンＰの下縁の位置（図中の点線参照）よりも上側に位置している。また、各列を構成する複数のピンＰは、中央に位置するピンＰほど上側に配置されている。
【００５１】
図１０Ａは、本実施形態のピンＰの配置と間隔の概要説明図である。図１０Ｂは、比較例の説明図である。ここでは、上側の列のピンＰの添数字の１０の位を１とし、下側の列のピンＰの添数字の１０の位を２としている。また、中央のピンＰほど添数字の１の位が小さい値にしている。また、図１０Ａでは、理解を容易にするために、各列を構成するピンＰの上下の高低差を大きく誇張して示している。
【００５２】
ここでは、図示するように、上側の列の２つのピンＰ１１及びピンＰ１２と、この２つのピンＰの間にある下側の列のピンＰ２１との間隔に注目する。  
【００５３】
図１０Ｂに示す比較例では、ピンＰ１１とピンＰ２１との間隔Ｌ１１は、ピンＰ１２とピンＰ２１との間隔Ｌ１２とほぼ等しい。この結果、上側の列の２つのピンＰ（ピンＰ１１及びピンＰ１２）の間を通過したボールがピンＰ２１の右側に移動する確率と、左側に移動する確率とがほぼ等しくなる。
【００５４】
これに対し、図１０Ａに示す本実施形態では、中央に位置するピンＰほど上側に配置されているため、中央寄りに位置するピンＰ１１とピンＰ２１との間隔Ｌ１１は、ピンＰ１１よりも外側に位置するピンＰ１２とピンＰ２１との間隔Ｌ１２よりも広い。この結果、上側の列の２つのピンＰ（ピンＰ１１及びピンＰ１２）の間を通過したボールがピンＰ２１の右側（中央側）に移動する確率は、左側（外側）に移動する確率よりも高くなる。つまり、本実施形態では、図１０Ａの比較例と比べると、ボールが中央側に移動しやすくなる。
なお、ここではピンＰ２１との間隔に注目して説明したが、下側の列の他のピンＰにおいても、中央寄りに位置するピンＰとの間隔が、外側に位置するピンＰとの間隔よりも広くなるため、ボールが中央側に移動しやすくなる。
【００５５】
ここで、ボールが中央側に移動しやすくなることの効果（本実施形態のピンの配置の効果）について更に説明する。  
図１０Ｂに示す比較例では、盤面１０のピンの列が水平方向になるように理想的に遊戯装置１が設置されていれば、ボールが各チャッカー１２に入る確率が予め想定された確率（想定確率）の通りになり、その想定確率に沿って設定された入賞プログラムによって入賞率は想定通りに管理されることになる。しかし、設置状況等の影響によって、遊戯装置１を水平に設置できず、盤面１０のピンの列が水平方向に対して傾くと、傾いた方向にボールが片寄って移動してしまい、ボールが各チャッカー１２に入る確率が想定確率から大きく変わり、この結果、想定確率に沿って設定された入賞プログラムでは、入賞率が想定から大きく外れるおそれがある。かといって、設置状況に応じて入賞プログラムを書き換えることは困難である。  
これに対し、図１０Ａに示す本実施形態のピンの配置によれば、仮に盤面１０のピンの列が水平方向に対して傾いても、ボールが中央側に移動する傾向は維持される。このため、仮に盤面１０のピンの列が水平方向に対して傾いても、ボールが各チャッカー１２に入る確率は、想定確率から大きく乖離せずに済む。したがって、仮に盤面１０のピンの列が水平方向に対して傾いても、想定確率に沿って設定された入賞プログラムによって入賞率が想定から大きく外れずに済む。つまり、ボールが中央側に移動しやすくなる本実施形態のピンの配置によって、遊戯装置１の設置状況の影響を受けにくくなるという効果を奏する。
【００５６】
＜小括＞
上記の遊戯装置１は、盤面１０と、遊戯媒体であるボールを放出する放出口２１と、放出口２１から放出されたボールを盤面１０に投入する投入部３０とを備えている。本実施形態では、放出口２１は、盤面１０に対して固定されているため、ボールを放出させるための構成が単純になり、耐久性に優れ、安価になる。また、投入部３０は、左右方向に移動可能であり、下側ほど左右方向の互いの間隔が狭く配置された第１ガイド３１及び第２ガイド３２を有している。第１ガイド３１及び第２ガイド３２が左右方向に移動可能であるため、放出口２１が盤面１０に対して固定されていても、盤面１０に投入するボールの左右方向の位置を変更することが可能になり、技巧性・娯楽性が向上する。更に、第１ガイド３１及び第２ガイド３２が左右方向に移動するため、ワイパーのように回動させる場合と比べると（図５Ａ及び図５Ｂ参照）、盤面１０の最上列のピンＰを上側に配置できるとともに、ピンＰの故障を抑制できる。
【００５７】
また、本実施形態では、第１ガイド３１及び第２ガイド３２が最も右側に位置するとき、盤面１０の最上列の最も右側のピンＰ１（図２参照）の上側に第１ガイド３１（第１ガイド３１及び第２ガイド３２のうちの右側のガイド）の下端が位置し（図２の実線参照）、第１ガイド３１及び第２ガイド３２が最も左側に位置するとき、盤面１０の最上列の最も左側のピンＰ２（図２参照）の上側に第２ガイド３２（第１ガイド３１及び第２ガイド３２のうちの左側のガイド）の下端が位置している（図２の点線参照）。これにより、投入部３０から盤面１０に投入されたボールが、最上列のピンＰよりも外側に移動することが抑制される。
【００５８】
また、本実施形態では、第１ガイド面３１Ａからボールの直径だけ離れ第１ガイド面３１Ａに平行な平面が第２ガイド３２と交差している（図４Ｂ参照）。言い換えると、本実施形態では、第１ガイド面３１Ａの下端と第２ガイド面３２Ａの下端との間隔をＬ２とし、第１ガイド面３１Ａの左右方向に対する角度をθとしたとき、Ｌ２×ｓｉｎθ＜Ｄである（Ｌ２とｓｉｎθとの積がボールの直径Ｄよりも小さい）。このように第１ガイド３１及び第２ガイド３２を配置することによって、ボールが第１ガイド３１及び第２ガイド３２の間から下に向かって落ちることになる（図４Ｂ参照）。これにより、遊戯者の意図に沿ってボールを盤面１０に投入することができる。
【００５９】
また、本実施形態では、各列を構成するピンＰは、中央に位置するピンＰほど上側に配置されている。これにより、ボールが中央側に移動しやすくなる。また、ボールを中央側に移動しやすいピン配置によって、ボールが各チャッカー１２に入る確率は、遊戯装置１の設置状況の影響を受けにくくなる。
【００６０】
＝＝＝その他＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下のような形態も本発明に含まれる。
【００６１】
＜遊戯装置１について＞
前述の実施形態では、遊戯装置１は、コリントゲームのようなプレイフィールドを提供していたが、遊戯装置の提供するプレイフィールドはこれに限られるものではない。例えば、遊戯装置は、パチンコ機や、メダルゲーム機のようなプレイフィールドを提供しても良い。
【００６２】
また、前述の遊戯装置１の盤面１０が重力方向に平行であったが、これに限られるものではない。例えば、盤面１０が傾斜していても良い。なお、盤面１０が傾斜している場合には、前述の「上下方向」を盤面１０に平行な方向として定義すると良い。
【００６３】
＜遊戯媒体について＞
前述の実施形態では、遊戯媒体としてボールが採用されていた。但し、遊戯媒体は球形状に限られるものではない。例えば、遊戯媒体が、円柱状、円筒状、角柱状、多面体などの別の形状であっても良い。
【００６４】
＜投入部３０について＞
前述の実施形態では、投入部３０からボールが下側に向かって落ちるように、第１ガイド３１及び第２ガイド３２が構成されていた（図４Ｂ参照）。但し、前述の実施形態よりも第１ガイド３１と第２ガイド３２の間隔を広げて、ボールがガイド面に沿って投入されても良い。
【００６５】
また、前述の実施形態では、第１ガイド面３１Ａ及び第２ガイド面３２Ａは平面であったが、これに限られるものではない。例えば、第１ガイド面３１Ａ及び第２ガイド面３２Ａが曲面や、より複雑な面から構成されても良い。
【００６６】
また、前述の実施形態では、第１ガイド３１及び第２ガイド３２は、投入部３０として一体な部材として構成されていた。但し、第１ガイド３１及び第２ガイド３２は、下側ほど左右方向の互いの間隔が狭く配置されていれば、必ずしも投入部３０として一体的に構成されていなくても良く、それぞれ独立して構成されていても良い。
【００６７】
＜ピンＰの配置について＞
前述の実施形態では、図１０Ａに示すように、各列を構成する複数のピンＰは、中央に位置するほど上側に配置されていたが（図１０Ａ参照）、ピンＰの配置はこれに限られるものではない。全ての列ではなく、一部の列のピンだけ、中央に位置するほど上側に配置しても良い。若しくは、図１０Ｂに示す比較例のピンの配置を採用しても良い。このようなピンの配置であっても、第１ガイド及び第２ガイドを左右方向に移動させる投入部を採用することは可能である。
【００６８】
また、前述の実施形態では、盤面に左右方向に複数のピンＰが並んで列状に配置されていたが、複数のピンが列状ではなく、ジグザグ状や円弧状に配置されていても良い。
【符号の説明】
【００６９】
１  遊戯装置、１０  盤面、
１２  チャッカー、１３  隔壁、
１４  ディスプレイ、１５  ボール検出センサ、
１６  透明カバー、１７  ストッパーピン、
１８  回収皿、１８Ａ  回収口、
２０  放出装置、２１  放出口、２２  放出用モーター、
３０  投入部、３１  第１ガイド、３１Ａ  第１ガイド面、
３２  第２ガイド、３２Ａ  第２ガイド面、３３  ガイド用モーター、
４０  操作パネル、４１  放出ボタン、
５０  ボール供給機構、５１  押出部、５２  ボールストッパー、
５３  ボール供給路、５４  供給用モーター、
６０  制御部、６１  演算部、６２  記憶部、
Ｐ  ピン
【図１】
2014147406.tif 000003
【図２】
2014147406.tif 000004
【図３】
2014147406.tif 000005
【図４】
2014147406.tif 000006
【図５】
2014147406.tif 000007
【図６】
2014147406.tif 000008
【図７】
2014147406.tif 000009
【図８】
2014147406.tif 000010
【図９】
2014147406.tif 000011
【図１０】
2014147406.tif 000012